(57)【特許請求の範囲】
【請求項１】
取付箇所に固定されるシリンダーケースに、鍵孔を有する内筒が回転可能に収納され、この内筒の鍵孔にキーを差し込んで施開錠するシリンダー錠であって、上記の鍵孔に差し込まれ鍵孔の最深部のコードピンに係合すると、この最深部のコードピンに対応する範囲の内筒とシリンダーケースのシェアラインを一致させて内筒を回転可能にするビット部材と、また上記のキーより短く形成され、鍵孔に差し込まれ先端部がビット部材の基端部に当たると、上記の最深部のコードピン以外の残りのコードピンに係合し、この残りのコードピンに対応する範囲の内筒とシリンダーケースのシェアラインを一致させて内筒を回転可能にするユーザーキーとを備え、上記のビット部材は、鍵孔の最深部の位置にセットされた状態で使用され、またこのビット部材の基端部とユーザーキーの先端部とが、係合可能な段差面に形成され、この段差面が、ユーザーキーの先端部の突き出し端と、この突き出し端が係合するビット部材の基端部の凹段差部とで形成される段差面と、ビット部材の基端部の突き出し箇所と、この突き出し箇所が係合するユーザーキーの先端部の凹段差箇所とで形成される段差面とであることを特徴とするシリンダー錠。
【請求項２】
請求項１記載のシリンダー錠であって、最深部のコードピンが複数であることを特徴とするシリンダー錠。
【請求項３】
請求項１又は２記載のシリンダー錠であって、キー、ビット部材、及びユーザーキーが、差し込み方向と直交する方向の断面形状を同一にして形成されていることを特徴とするシリンダー錠。
【発明の詳細な説明】
【技術分野】
【０００１】
本発明はシリンダー錠に関し、更に詳しくは簡単且つ低コストな構造で鍵違いを実現し、防犯性能が良くなるよう形成したシリンダー錠に関するものである。
【背景技術】
【０００２】
従来、この種のシリンダー錠としては、例えば本出願人の提案に係る特許文献１に記載のものがある。この従来品は、断続回転するプレートと、このプレートを断続回転させてキーコードを変換するためのチェンジキーと、変換されたキーコードに適合する複数の棒形のキーとで形成されている。
【０００３】
ところで、シリンダー錠の製造工程においては、組立て後の錠が正確に動作するか否かを、出荷前にキーで検査、検品するのが通例である。また、例えば住宅等の施工現場では、建築業者等が建物の管理を、ドアのシリンダー錠をキーで開閉することによって行なうことが通例である。
而してこの種のキーが、シリンダー錠の出荷後や、建物をユーザーに引き渡した後も使用できると、悪用される惧れがあり、防犯上好ましくない。
従ってシリンダー錠は、一旦、工場から出荷されてユーザーに納入された後は、工場等で使用したキーによっては施開錠できないよう形成されているのが望ましい。
しかるに、従来のシリンダー錠は、工場等で使用したこの種のキーの使用を、出荷後等において特に規制しているものはなく、従って防犯面で問題があった。
【０００４】
また従来、例えば特許文献１に見られるように、キーコードの変換を可能にして防犯性を高めたシリンダー錠の場合は、通常、内部構造が複雑化し、部品数も多くなりがちであった。またこの種の従来品は、コードピン（タンブラピン）と、キーの切り欠きとの係合作用だけで鍵違いのパターンを作る構造であったから、鍵違いの種類や態様に限界があった。
【特許文献１】特開２００５−３２５５５１号公報
【発明の開示】
【発明が解決しようとする課題】
【０００５】
本発明は、このような従来技術の問題点に鑑み、提案されたものである。
従って本発明の解決しようとする技術的課題は、工場から出荷した後や建物をユーザーに引き渡した後は、工場内や施工現場で使用したキーの使用を不可能にし、部品数や組み立てコスト、製造コストを増大させることなく、簡単な構造で防犯性能が高くなるよう形成したシリンダー錠を提供することにある。
【課題を解決するための手段】
【０００６】
本発明は、上記の課題を解決するため、次のような技術的手段を採る。
即ち本発明は、図１等に示されるように、取付箇所１に固定されるシリンダーケース２に、鍵孔３を有する内筒４が回転可能に収納され、この内筒４の鍵孔３にキー５を差し込んで施開錠するシリンダー錠であって、上記の鍵孔３に差し込まれ鍵孔３の最深部のコードピン６ａに係合すると、この最深部のコードピン６ａに対応する範囲Ｒ１の内筒４とシリンダーケース２のシェアラインを一致させて内筒４を回転可能にするビット部材１０と、また上記のキー５より短く形成され、鍵孔３に差し込まれ先端部がビット部材１０の基端部に当たると、上記の最深部のコードピン６ａ以外の残りのコードピン６ｂに係合し、この残りのコードピン６ｂに対応する範囲Ｒ２の内筒４とシリンダーケース２のシェアラインを一致させて内筒４を回転可能にするユーザーキー１１とを備え、上記のビット部材１０は、鍵孔３の最深部の位置にセットされた状態で使用され、またこのビット部材１０の基端部とユーザーキー１１の先端部とが、係合可能な段差面に形成され、この段差面が、ユーザーキー１１の先端部の突き出し端１１ｃと、この突き出し端１１ｃが係合するビット部材１０の基端部の凹段差部１０ｃとで形成される段差面と、ビット部材１０の基端部の突き出し箇所１０ｄと、この突き出し箇所１０ｄが係合するユーザーキー１１の先端部の凹段差箇所１１ｄとで形成される段差面とであることを特徴とする（請求項１）。
【０００７】
本発明のキー５、ビット部材１０及びユーザーキー１１は、板状でも、断面円形等の棒状でも良い。本発明の場合、キー５、ビット部材１０及びユーザーキー１１は、鍵孔３に対する差し込み位置（角度）を、簡単に同一に規制できるよう、例えばキー５、ビット部材１０及びユーザーキー１１に、フィン状の係合部５ａ（図４等参照）、１０ｂ（図７参照）、１１ｂ（図９参照）を形成すると共に、この係合部５ａ、１０ｂ、１１ｂが係合する溝状部３ａ（図３Ａ参照）を鍵孔３に形成するのが良い。
【０００８】
また本発明は、最深部のコードピン６ａが複数であるのが好ましい（請求項２）。
なぜならこれによると、最深部のコードピン６ａとビット部材１０との組み合わせパターンを多様化、多種類化でき、その分、防犯性能を一層、高めることができるからである。この本発明の場合は、具体的には最深部のコードピン６ａをビット部材１０の差し込み方向に沿って複数並べたり、例えば断面円形のビット部材１０の外周面に、最深部のコードピン６ａが係合する凹み１０ａを、周方向に複数形成することで実現される。
【０００９】
また本発明は、キー５、ビット部材１０、及びユーザーキー１１が、差し込み方向と直交する方向の断面形状を同一にして形成されているのが好ましい（請求項３）。
なぜならこれによると、キー５、ビット部材１０、及びユーザーキー１１を、同じ板材や棒材から加工でき、製造コスト、加工コストを低廉化できるからである。またこの場合は、鍵孔３を入口から最深部まで同じ状態で加工でき、鍵孔３の加工を簡単化、迅速化できるからである。
【発明の効果】
【００１０】
本発明のシリンダー錠は、このように構成されているから、ビット部材を鍵孔に差し込む、という簡単な操作で、それまで使用していたキーの使用を禁止できると共に、以後はユーザーキーを使用できることになる。
従ってこれによれば、工場内で作業者が検品したり、建築業者等が建物の管理に使用したキーを、出荷後や建物の引き渡し後は、簡単な操作、低コストな仕組みでその使用を禁止でき、その悪用を防止できる。
また本発明は、コードピンとの係合作用に加えて、ビット部材とユーザーキーの長さの組み合わせを変えることによっても、鍵違いのパターンを作ることができる。
従って本発明は、従来品のように鍵孔の長さとほぼ同じ長さのキーを用い、このキーの切り欠きにコードピンを係合させることで鍵違いのパターンを作る場合に比べ、鍵違いのパターンを多種多様化できるから、これによれば、その分、防犯性能の高いシリンダー錠を提供できる。
【００１１】
また本発明品は、ビット部材の基端部とユーザーキーの先端部とが、係合可能な段差面に形成され、しかもこの段差面が上記のように二種類の段差面で形成されている。
それ故本発明品によれば、ビット部材の基端部にユーザーキーの先端部が係合しないと、コードピンとユーザーキーとが係合しないよう形成でき、従って鍵違いの組み合わせ数を増加でき、その分、防犯性能を高めることができる。
【発明を実施するための最良の形態】
【００１２】
以下、本発明を実施するための最良の形態を説明する。
本発明は、図１等に示されるように、ドア等の取付箇所１に固定されるシリンダーケース２に、鍵孔３を有する内筒４が回転可能に収納され、この内筒４の鍵孔３にキー５を差し込んで施開錠するシリンダー錠である。この実施形態の場合、鍵孔３は、図３Ａに示されるように、正面から見て上側が円形に、下側は縦長矩形の溝状部３ａに形成され、上側、下側ともキー５の差し込み方向に延びて同じ状態に形成されている。
【００１３】
上記のキー５は、図４〜図６等に示されるように、上記の鍵孔３の形状に合わせて上側が断面円形の棒状に形成されると共に、下側が鍵孔３の溝状部３ａと係合するよう、板状の係合部５ａに形成されている。
【００１４】
上記の内筒４は、コードピン６（図１Ｂ参照）の収納孔４ａ（図１Ａ、図３Ａ参照）を、この実施形態では内筒４の正面（前面）から見て左右対称状に、且つ放射状に備えて形成されている。またシリンダーケース２は、図３Ａに示されるように、ドライバーピン７（図１Ｂ参照）やコイルバネ８（図１Ｂ参照）を収納するための孔２ａを、上記の収納孔４ａと連通するよう備えて形成されている。なお、この孔２ａは、蓋２ｂ（図１Ａ参照）で塞がれている。
【００１５】
また上記のコードピン６は、図１等に示されるように、鍵孔３の最深部のコードピン６ａと、それ以外の残りのコードピン６ｂとで構成されている。上記のキー５は、図１Ａ、図４等に示されるように、先端側の周面に、最深部のコードピン６ａが係合する窪み５ｂを、また先端側を除いた摘み９側までの周面位置に、残りのコードピン６ｂが係合する窪み５ｃを複数備えて形成されている。最深部のコードピン６ａと、それ以外の残りのコードピン６ｂは、収納孔４ａに収納されている。従って上記の窪み５ｂ、５ｃは、収納孔４ａと同様、キー５の先端側から見て左右対称状に、且つ放射状に形成されている。
【００１６】
また１０（図１Ｂ、図７等参照）は、鍵孔３（図３Ａ等参照）に差し込まれて最深部のコードピン６ａに係合すると、この最深部のコードピン６ａに対応する範囲Ｒ１（図１Ｃ等参照）の内筒４とシリンダーケース２のシェアラインを一致させ、内筒４を回転可能にするビット部材である。このビット部材１０は、最深部のコードピン６ａが係合する凹み１０ａを、周面に複数備えて形成されている。
【００１７】
また１１（図１Ｃ、図９等参照）は、上記のキー５より短く形成されているユーザーキーである。このユーザーキー１１の周面には、残りのコードピン６ｂと対応する位置に、凹部１１ａが複数形成されている。ユーザーキー１１の先端部と、上記のビット部材１０の基端部とは、係合可能な段差面に形成されている。従ってユーザーキー１１は、図１Ｃに示されるように、鍵孔３に差し込まれて先端部がビット部材１０の基端部に係合すると、上記の残りのコードピン６ｂが凹部１１ａに係合するものである。そして本発明は、これにより、残りのコードピン６ｂに対応する範囲Ｒ２の内筒４とシリンダーケース２のシェアラインが一致し、内筒４が回転可能になるものである。
【００１８】
またこの実施形態の場合、ビット部材１０、及びユーザーキー１１は、鍵孔３（図３Ａ参照）の形状に合わせて、上側が断面円形の棒状に、下側が鍵孔３の溝状部３ａと係合する板状の係合部１０ｂ、１１ｂ（図９等参照）に形成されている。従ってこの実施形態のキー５、ビット部材１０、及びユーザーキー１１は、図４、図９等に示されるように、係合部５ａ、１０ｂ、１１ｂにより、鍵孔３への差し込み方向（角度）が同一に規制されているものである。
【００１９】
次に本発明の作用を説明する。
本発明の場合、キー５が鍵孔３に差し込まれると、図１Ａに示されるように、コードピン６ａ、６ｂがキー５の周面の窪み５ｂ、５ｃに係合し、内筒４とシリンダーケース２のシェアラインが一致して施開錠が可能になる。このキー５は、主として工場内の製造工程等で検品するときや、建築業者等が施工現場で建物を管理するときに使用するものである。
【００２０】
而して、工場から出荷後、或いは建物がユーザーに引き渡された後は、ビット部材１０が鍵孔３にセットされた状態で本発明品は使用される。ビット部材１０が鍵孔３に差し込まれ、図１Ｂに示されるように、凹み１０ａに最深部のコードピン６ａが係合すると、本発明は、先ず最深部のコードピン６ａに対応する範囲Ｒ１（図１Ｃ参照）の内筒４とシリンダーケース２のシェアラインが一致する。
【００２１】
次に、この状態でユーザーキー１１が、図１Ｃに示されるように、鍵孔３に差し込まれ、その先端部がビット部材１０の基端部に当たって係合すると、ユーザーキー１１の周面の凹部１１ａに、最深部のコードピン６ａ以外の残りのコードピン６ｂが係合する。これにより、残りのコードピン６ｂに対応する範囲Ｒ２の内筒４とシリンダーケース２のシェアラインが一致し、内筒４が回転可能になり、ユーザーキー１１を使用して施開錠できるようになるものである。
【００２２】
なお、本発明は、図１２に示されるように、ユーザーキー１１が鍵孔３に差し込まれて残りのコードピン６ｂに対応する範囲Ｒ２の内筒４とシリンダーケース２のシェアラインが一致しても、上記のビット部材１０が鍵孔３に差し込まれていない場合は、最深部のコードピン６ａに対応する範囲Ｒ１の内筒４とシリンダーケース２とのシェアラインが一致しないため、施開錠できない。
また本発明は、図１３に示されるように、ビット部材１０が鍵孔３に差し込まれていない場合は、ユーザーキー１１が根元まで深く差し込まれ易くなる。従ってこの場合は、内筒４とシリンダーケース２とのシェアラインが、上記の範囲Ｒ１、Ｒ２とも一致しないから、施開錠できないことになる。
また本発明は、図１４に示されるように、ビット部材１０が鍵孔３に差し込まれていても、ユーザーキー１１が正規のものでない場合は、残りのコードピン６ｂに対応する範囲Ｒ２の内筒４とシリンダーケース２とのシェアラインが一致しない。従ってこの場合も、施開錠ができないことになる。
【図面の簡単な説明】
【００２３】
【図１】本発明のシリンダー錠の好適な一実施形態を示し、Ａはキー差し込み時の要部縦断面図、Ｂはビット部材差し込み時の要部縦断面図、Ｃはユーザーキー差し込み時の要部縦断面図である。
【図２】同上シリンダー錠の側面図である。
【図３】Ａは同上シリンダー錠の正面図、Ｂは背面図である。
【図４】キーの側面図である。
【図５】キーの要部正面図である。
【図６】図５のＶＩ―ＶＩ線におけるキーの要部断面図である。
【図７】Ａはビット部材の基端部側から見た背面図、Ｂはビット部材の側面図である。
【図８】図７ＡのＶＩＩＩ―ＶＩＩＩ線における断面図である。
【図９】ユーザーキーとビット部材を示す側面図である。
【図１０】ユーザーキーとビット部材を示す要部断面図である。
【図１１】ユーザーキーの差し込み方向と直交する方向における要部縦断面図である。
【図１２】同上シリンダー錠の作用を説明するための要部縦断面図である。
【図１３】同上シリンダー錠の作用を説明するための要部縦断面図である。
【図１４】同上シリンダー錠の作用を説明するための要部縦断面図である。
【符号の説明】
【００２４】
１    取付箇所
２    シリンダーケース
３    鍵孔
４    内筒
５    キー
６    コードピン
６ａ  最深部のコードピン
６ｂ  残りのコードピン
１０  ビット部材
１０ｃ 凹段差部
１０ｄ 突き出し箇所
１１  ユーザーキー
１１ｃ 突き出し端
１１ｄ 凹段差箇所
Ｒ１  最深部のコードピンに対応する範囲
Ｒ２  残りのコードピンに対応する範囲
【図１】
0004644728.tif 000002
【図２】
0004644728.tif 000003
【図３】
0004644728.tif 000004
【図４】
0004644728.tif 000005
【図５】
0004644728.tif 000006
【図６】
0004644728.tif 000007
【図７】
0004644728.tif 000008
【図８】
0004644728.tif 000009
【図９】
0004644728.tif 000010
【図１０】
0004644728.tif 000011
【図１１】
0004644728.tif 000012
【図１２】
0004644728.tif 000013
【図１３】
0004644728.tif 000014
【図１４】
0004644728.tif 000015